(57)【要約】【課題】湿度検出手段で検出される湿度の変化率に応じた適切なタイミングで湿度表示を更新する。【解決手段】空気調和機は、湿度を検出する湿度センサと、湿度表示を行う表示部と、湿度センサで検出された湿度に基づいて表示部を制御する制御部とを備えている。制御部は、湿度センサで検出された湿度の変化率に基づいて湿度表示を更新するタイミングを変更する。制御部は、湿度センサで検出された湿度と表示部に表示される湿度との差が２％未満の場合は、予め設定されたガード時間が経過する度に湿度表示を更新し、湿度センサで検出された湿度と表示部に表示される湿度との差が２％以上の場合は、ガード時間にかかわらず湿度表示を更新する。【選択図】図３
2013053753.tif 000002
【特許請求の範囲】
【請求項１】
湿度を検出する湿度検出手段と、
湿度表示を行う表示手段と、
前記湿度検出手段で検出された湿度に基づいて前記表示手段を制御する制御手段とを備え、
前記制御手段が、前記湿度検出手段で検出された湿度の変化率に基づいて湿度表示を更新するタイミングを変更することを特徴とする空気調和機。
【請求項２】
前記制御手段が、前記湿度検出手段で検出された湿度の変化率が所定値未満の場合はガード時間が経過する度に湿度表示を更新すると共に、前記湿度検出手段で検出された湿度の変化率が所定値以上の場合はガード時間にかかわらず湿度表示を更新することを特徴とする請求項１に記載の空気調和機。
【請求項３】
ガード時間が、湿度表示を更新するときの前記湿度検出手段で検出された湿度の変化率に基づいて変更されることを特徴とする請求項２に記載の空気調和機。
【請求項４】
前記制御手段が、前記湿度検出手段で検出された湿度の変化率が所定値未満の場合はガード時間が経過する度に湿度表示を更新すると共に、前記湿度検出手段で検出された湿度の変化率が所定値以上の場合は湿度表示が更新されるまでの時間を短縮することを特徴とする請求項１〜３のいずれかに記載の空気調和機。
【請求項５】
前記所定値は、前記湿度検出手段で検出された湿度が所定湿度以上の場合に、所定湿度未満の場合より大きくなるように変更されることを特徴とする請求項２〜４のいずれかに記載された空気調和機。
【請求項６】
空気を加湿する加湿運転と、空気を加湿しないで清浄化する空清運転のいずれかが行われるように切り換え可能であって、  加湿運転時のガード時間が、空清運転時のガード時間より短いことを特徴とする請求項２〜５のいずれかに記載の空気調和機。
【請求項７】
加湿運転が可能であって、
ガード時間が、加湿運転が開始された後、所定時間が経過したときに長くなるように変更されることを特徴とする請求項２〜６のいずれかに記載の空気調和機。
【請求項８】
加湿運転時に水を貯留する貯水容器内の水を気化させる気化部材と、
前記気化部材に空気流を供給するファンとを備えており、
前記制御手段が、ファンの回転開始時から所定時間が経過するまで、湿度表示を行わないように前記表示手段を制御することを特徴とする請求項１〜６のいずれかに記載の空気調和機。
【発明の詳細な説明】
【技術分野】
【０００１】
本発明は、湿度検出手段と湿度を表示する表示部とを有する空気調和機に関する。
【背景技術】
【０００２】
加湿機などの空気調和機には、外気湿度を検出する湿度検出手段と、検出された湿度を表示する表示部が設けられている（例えば特許文献１参照）。湿度検出手段としては、例えば、電極間の電気抵抗値の変化に基づいて湿度を検出する電気抵抗変化式の湿度センサが用いられる。電気抵抗変化式の湿度センサでは、例えば図２のように、検出信号（電気抵抗値または電気抵抗値から換算される電圧）と湿度換算値との関係は、湿度換算値が１％ずつ変化するような関係となっている。
【先行技術文献】
【特許文献】
【０００３】
【特許文献１】特開２００９−０６８７６３号公報
【発明の概要】
【発明が解決しようとする課題】
【０００４】
しかしながら、この湿度センサでは、検知信号が、湿度換算値が変化する境界値（図２中の例えばＡ）付近の場合、境界値よりわずかに小さくなったり大きくなったりするだけで、検出される湿度が変動する。そのため、表示部に表示される湿度が短時間で変化してちらつくため、視認しにくくなる。
【０００５】
その対策として、表示部に表示される湿度を、所定時間変化させないということが考えられるが、この場合、加湿中など湿度変化が大きい場合に、表示される湿度が湿度変化に追従していないという問題が生じる。
【０００６】
そこで、本発明は、湿度検出手段で検出される湿度の変化率に応じて、適切なタイミングで湿度表示を更新できる空気調和機を提供することを目的とする。
【課題を解決するための手段】
【０００７】
第１の発明に係る空気調和機は、湿度を検出する湿度検出手段と、湿度表示を行う表示手段と、前記湿度検出手段で検出された湿度に基づいて前記表示手段を制御する制御手段とを備え、前記制御手段が、前記湿度検出手段で検出された湿度の変化率に基づいて湿度表示を更新するタイミングを変更することを特徴とする。
【０００８】
この空気調和機では、湿度検出手段で検出された湿度の変化率に応じて、適切なタイミングで湿度表示を更新することができる。
【０００９】
第２の発明に係る空気調和機は、第１の発明において、前記制御手段が、前記湿度検出手段で検出された湿度の変化率が所定値未満の場合はガード時間が経過する度に湿度表示を更新すると共に、前記湿度検出手段で検出された湿度の変化率が所定値以上の場合はガード時間にかかわらず湿度表示を更新することを特徴とする。
【００１０】
この空気調和機では、湿度検出手段で検出される湿度がわずかな上昇と下降を繰り返すように変動しても、ガード時間が経過するまで湿度表示を更新しないため、湿度表示が短時間で変化するのを防止できる。
また、湿度変化が大きい場合には、ガード時間にかかわらず湿度表示を更新するため、湿度表示を湿度変化に追従させることができる。
【００１１】
第３の発明に係る空気調和機は、第２の発明において、ガード時間が、湿度表示を更新するときの前記湿度検出手段で検出された湿度の変化率に基づいて変更されることを特徴とする。
【００１２】
この空気調和機では、更新時の湿度の変化率に応じて、湿度表示が更新されるタイミングを変更するため、湿度表示を湿度変化に追従させることができる。
【００１３】
第４の発明に係る空気調和機は、第１〜第３の発明のいずれかにおいて、前記制御手段が、前記湿度検出手段で検出された湿度の変化率が所定値未満の場合はガード時間が経過する度に湿度表示を更新すると共に、前記湿度検出手段で検出された湿度の変化率が所定値以上の場合は湿度表示が更新されるまでの時間を短縮することを特徴とする。
【００１４】
この空気調和機では、湿度検出手段で検出される湿度がわずかな上昇と下降を繰り返すように変動しても、ガード時間が経過するまで湿度表示を更新しないため、湿度表示が短時間で変化するのを防止できる。
また、湿度変化が大きい場合には、湿度表示が更新されるまでの時間を短縮するため、湿度表示を湿度変化に追従させることができる。
【００１５】
第５の発明に係る空気調和機は、第２〜第４の発明のいずれかにおいて、前記所定値は、前記湿度検出手段で検出された湿度が所定湿度以上の場合に、所定湿度未満の場合より大きくなるように変更されることを特徴とする。
【００１６】
この空気調和機では、湿度が高い場合、湿度検出手段の検出精度が湿度が低いときよりも低くなり、湿度検出手段で検出される湿度が変動しやすくなる。そのため、湿度表示を更新するタイミングを変更する基準となる前記所定値を、湿度が高い場合に、湿度が低い場合よりも大きくなるように変更することで、検出精度の悪化によって湿度表示が短時間で変化するのを防止できる。
【００１７】
第６の発明に係る空気調和機は、第２〜第５の発明のいずれかにおいて、空気を加湿する加湿運転と、空気を加湿しないで清浄化する空清運転のいずれかが行われるように切り換え可能であって、加湿運転時のガード時間が、空清運転時のガード時間より短いことを特徴とする。
【００１８】
この空気調和機では、加湿運転時には、空清運転時よりも湿度変化が大きくなる。加湿運転時のガード時間を短くすることで、湿度変化の大きい加湿運転時に、湿度表示を湿度変化に追従させることができ、空清運転時のガード時間を長くすることで、湿度変化の小さい空清運転時に、湿度表示の無駄な更新を減らすことができる。
【００１９】
第７の発明に係る空気調和機は、第２〜第６の発明のいずれかにおいて、加湿運転が可能であって、ガード時間が、加湿運転が開始された後、所定時間が経過したときに長くなるように変更されることを特徴とする。
【００２０】
この空気調和機では、加湿運転開始直後は湿度変化が大きく、時間の経過とともに湿度が安定する。加湿運転開始後のガード時間を短くすることで、湿度変化の大きい加湿運転開始後に、湿度表示を湿度変化に追従させることができ、加湿運転を開始してから所定時間が経過した後のガード時間を長くすることで、湿度変化が小さいときに、湿度表示の無駄な更新を減らすことができる。
【００２１】
第８の発明に係る空気調和機は、第１〜第７の発明のいずれかにおいて、加湿運転時に水を貯留する貯水容器内の水を気化させる気化部材と、前記気化部材に空気流を供給するファンとを備えており、前記制御手段が、ファンの回転開始時から所定時間が経過するまで、湿度表示を行わないように前記表示手段を制御することを特徴とする。
【００２２】
この空気調和機では、ファンが停止状態から回転を開始した際、風量が急激に増加することで、湿度検出手段の検出精度が低下して、湿度検出手段で検出される湿度が変動しやすくなる。ファンの回転開始時から所定時間が経過し、風量が安定した後で湿度表示を行うことによって、風量変動に起因して湿度表示が短時間で変化するのを防止できる。
【発明の効果】
【００２３】
以上の説明に述べたように、本発明によれば、以下の効果が得られる。
【００２４】
第１の発明では、湿度検出手段で検出された湿度の変化率に応じて、適切なタイミングで湿度表示を更新することができる。
【００２５】
第２の発明では、湿度検出手段で検出される湿度がわずかな上昇と下降を繰り返すように変動しても、ガード時間が経過するまで湿度表示を更新しないため、湿度表示が短時間で変化するのを防止できる。
また、湿度変化が大きい場合には、ガード時間にかかわらず湿度表示を更新するため、湿度表示を湿度変化に追従させることができる。
【００２６】
第３の発明では、更新時の湿度の変化率に応じて、湿度表示が更新されるタイミングを変更するため、湿度表示を湿度変化に追従させることができる。
【００２７】
第４の発明では、湿度検出手段で検出される湿度がわずかな上昇と下降を繰り返すように変動しても、ガード時間が経過するまで湿度表示を更新しないため、湿度表示が短時間で変化するのを防止できる。
また、湿度変化が大きい場合には、湿度表示が更新されるまでの時間を短縮するため、湿度表示を湿度変化に追従させることができる。  
【００２８】
第５の発明では、湿度が高い場合、湿度検出手段の検出精度が湿度が低いときよりも低くなり、湿度検出手段で検出される湿度が変動しやすくなる。そのため、湿度表示を更新するタイミングを変更する基準となる前記所定値を、湿度が高い場合に、湿度が低い場合よりも大きくなるように変更することで、検出精度の悪化によって湿度表示が短時間で変化するのを防止できる。  
【００２９】
第６の発明では、加湿運転時には、空清運転時よりも湿度変化が大きくなる。加湿運転時のガード時間を短くすることで、湿度変化の大きい加湿運転時に、湿度表示を湿度変化に追従させることができ、空清運転時のガード時間を長くすることで、湿度変化の小さい空清運転時に、湿度表示の無駄な更新を減らすことができる。
【００３０】
第７の発明では、加湿運転開始直後は湿度変化が大きく、時間の経過とともに湿度が安定する。加湿運転開始後のガード時間を短くすることで、湿度変化の大きい加湿運転開始後に、湿度表示を湿度変化に追従させることができ、加湿運転を開始してから所定時間が経過した後のガード時間を長くすることで、湿度変化が小さいときに、湿度表示の無駄な更新を減らすことができる。
【００３１】
第８の発明では、ファンが停止状態から回転を開始した際、風量が急激に増加することで、湿度検出手段の検出精度が低下して、湿度検出手段で検出される湿度が変動しやすくなる。ファンの回転開始時から所定時間が経過し、風量が安定した後で湿度表示を行うことによって、風量変動に起因して湿度表示が短時間で変化するのを防止できる。
【図面の簡単な説明】
【００３２】
【図１】（ａ）は本発明の第１実施形態に係る空気調和機の断面図であって、（ｂ）は（ａ）のＸ−Ｘ線に沿った断面図である。
【図２】湿度センサの検知信号と湿度換算値との関係を示すグラフである。
【図３】第１実施形態の制御部による表示部の制御手順を示すフローチャートである。
【図４】第１実施形態における検出湿度と表示湿度の一例を示す表である。
【図５】第２実施形態の制御部による表示部の制御手順を示すフローチャートである。
【図６】第２実施形態における検出湿度と表示湿度の一例を示す表である。
【図７】第３実施形態の制御部による表示部の制御手順を示すフローチャートである。
【図８】第３実施形態における検出湿度と表示湿度の一例を示す表である。
【図９】本発明の変更例における検出湿度と表示湿度の一例を示す表である。
【発明を実施するための形態】
【００３３】
＜第１実施形態＞
以下、本発明の第１実施形態について説明する。
本実施形態は、加湿機に本発明を適用した一例である。図１に示すように、本実施形態の加湿機１は、空気清浄ユニット５と、水を吸水して気化させる気化部材３と、図示しない給水タンクから供給される水を貯留する貯水容器４と、ファン２と、湿度を検出する湿度センサ（図示省略）と、湿度表示等を行う表示部６と、制御部（図示省略）とを備えている。
【００３４】
空気清浄ユニット５および気化部材３は、ファン２によって発生する空気流の流路に配置されている。気化部材３は回転可能に構成されており、気化部材３が回転することで、貯水容器４内に溜められた水が気化部材３に供給されるようになっている。本実施形態の加湿機１は、空気を加湿する加湿運転と、空気を加湿しないで清浄化する空清運転のいずれかが行われるように切り換え可能となっている。加湿運転時には、ファン２が駆動すると共に、気化部材３が回転し、加湿機１内に吸い込まれた空気が、空気清浄ユニット５を通過して空気中の塵埃や臭気成分が除去された後、気化部材３を通過して加湿されて、吹き出される。空清運転時には、気化部材３が停止した状態で、ファン２が駆動し、加湿機１内に吸い込まれた空気は、空気清浄ユニット５を通過して清浄化された後、吹き出される。
【００３５】
湿度センサは、電気抵抗変化式の湿度センサであって、電極間の電気抵抗値の変化に基づいて湿度を検出する。より具体的には、図２に示すように、電気抵抗値から換算される電圧に基づいて、湿度を検出する。また、湿度センサは、吹出口付近に設けられている。表示部６は、加湿機１の表面部に設けられている。表示部６は、湿度を１％ごとデジタル表示する。
【００３６】
制御部は、加湿運転および空清運転を制御すると共に、湿度センサで検出される湿度に基づいて表示部６を制御する。制御部は、湿度センサで検出される湿度を所定時間（本実施形態では１秒）ごとに記憶しており、検出湿度の変化率に基づいて湿度表示を更新するタイミングを変更する。具体的には、検出湿度と表示湿度（湿度表示を更新した時の検出湿度）との差が１％以下の場合には、予め設定されたガード時間（本実施形態では２０秒）が経過する度に湿度表示を更新する。また、検出湿度と表示湿度との差が２％以上の場合には、ガード時間に関わらず、湿度表示を更新する。なお、検出湿度と表示湿度との差とは、差の絶対値のことである。
【００３７】
制御部による表示部６の制御を図３のフローチャートと図４とを用いて説明する。図４は、検出湿度と表示湿度の一例をしている。
湿度表示を更新するまでの時間を、更新残り時間とする。制御部は、湿度表示を更新するとき（ステップＳ１）、更新残り時間をガード時間（図４では２０秒）に初期化する（ステップＳ２）。
【００３８】
湿度表示を更新後、更新残り時間が０秒となるまでの期間中、検出湿度と表示湿度との差が１％以下（２％未満）の場合には（ステップＳ３：Ｎｏと、ステップＳ４：Ｎｏの繰り返し）、更新残り時間が０秒となったときに（ステップＳ４：Ｙｅｓ）、湿度表示を検出湿度に更新する（ステップＳ１）（図４中の２９秒を参照）。
【００３９】
また、湿度表示を更新後、検出湿度と表示湿度との差が２％以上となった場合には（ステップＳ３：Ｙｅｓ）、更新残り時間に関わらず、湿度表示を検出湿度に更新する（ステップＳ１）（図４中の４秒、６秒、７秒、９秒を参照）。
【００４０】
本実施形態の空気調和機では、湿度センサで検出される湿度がわずかな上昇と下降を繰り返すように変動しても、ガード時間が経過するまで湿度表示を更新しないため、湿度表示が短時間で変化して、湿度表示がちらつくのを防止できる。
また、湿度変化が大きい場合には、ガード時間にかかわらず湿度表示を更新するため、湿度表示を湿度変化に追従させることができる。
【００４１】
なお、本実施形態では、ガード時間を２０秒に設定しているが、ガード時間は２０秒に限定されるものではない。
また、本実施形態では、湿度表示を更新するタイミングを変更する基準となる検出湿度と表示湿度との差が、２％であるが、この数値に限定されるものではない。
【００４２】
＜第２実施形態＞
次に、本発明の第２実施形態について説明する。
本実施形態の加湿機は、第１実施形態の加湿機１と制御部の構成が異なっており、その他の構成は第１実施形態と同じである。第１実施形態と同様の構成を有するものについては、説明を省略する。
【００４３】
第１実施形態では、ガード時間は一定（２０秒）であるが、本実施形態では、表示湿度を更新するときの検出湿度と表示湿度との差に基づいて、ガード時間を変更する。具体的には、表示湿度を更新するときの検出湿度と表示湿度との差が、５％以上の場合に、５％未満の場合よりも大きくなるように変更する。
【００４４】
制御部による表示部６の制御を図５のフローチャートと図６とを用いて説明する。
制御部は、表示湿度を更新するとき（ステップＳ２０１）、検出湿度と前回の表示湿度（前回更新時の検出湿度）との差が４％以下（５％未満）の場合には（ステップＳ２０２：Ｎｏ）、ガード時間を２０秒として（ステップＳ２０３）、更新残り時間をガード時間に初期化する（ステップＳ２０５）（図６の４秒、６秒、１２秒を参照）。また、表示更新時の検出湿度と前回の表示湿度との差が５％以上の場合には（ステップＳ２０２：Ｙｅｓ）、ガード時間を５秒に変更して（ステップ２０４）、更新残り時間をガード時間に初期化する（ステップＳ２０５）（図６の７秒を参照）。
【００４５】
湿度表示を更新後、更新残り時間が０秒となるまでの期間中、検出湿度と表示湿度との差が１％以下（２％未満）の場合には（ステップＳ２０６：Ｎｏと、ステップＳ２０７：Ｎｏの繰り返し）、更新残り時間が０秒となったときに（ステップＳ２０７：Ｙｅｓ）、湿度表示を検出湿度に更新する（ステップＳ２０１）（図６の１２秒を参照）。
【００４６】
また、湿度表示を更新後、検出湿度と表示湿度との差が２％以上となった場合には（ステップＳ２０６：Ｙｅｓ）、更新残り時間に関わらず、湿度表示を検出湿度に更新する（ステップＳ２０１）（図６の４秒、６秒、７秒を参照）。
【００４７】
本実施形態では、上記第１実施形態と同様の効果に加えて、以下の効果が得られる。  表示湿度を更新するときの検出湿度と表示湿度との差に応じて、湿度表示が更新されるタイミングを変更するため、湿度表示を湿度変化に追従させることができる。
【００４８】
なお、本実施形態では、ガード時間を２０秒と５秒に設定しているが、ガード時間はこれらの数値に限定されるものではない。
また、本実施形態では、湿度表示を更新するタイミングを変更する基準となる検出湿度と表示湿度との差が、２％と５％であるが、これらの数値に限定されるものではない。
【００４９】
＜第３実施形態＞
次に、本発明の第３実施形態について説明する。
本実施形態の加湿機は、第１実施形態の加湿機１と制御部の構成が異なっており、その他の構成は第１実施形態と同じである。第１実施形態と同様の構成を有するものについては、説明を省略する。
【００５０】
第１実施形態の制御部では、検出湿度と表示湿度との差が２％以上の場合に、湿度表示を更新するとともに、更新残り時間をガード時間に初期化していたが、本実施形態の制御部では、検出湿度と表示湿度との差が２％以上の場合に、湿度表示を更新せずに、更新残り時間を短縮する。具体的には、検出湿度と表示湿度との差が２％以上４％以下の場合に、更新残り時間を１０秒に短縮する。さらに、検出湿度と表示湿度との差が５％以上の場合に、更新残り時間を１秒に短縮する。表示湿度の更新は、更新残り時間が０秒になった場合にのみ行う。
【００５１】
また、本実施形態の制御部では、第２実施形態と同様に、湿度表示を更新するときの検出湿度と表示湿度との差に基づいて、ガード時間を変更する。具体的には、表示湿度を更新するときの検出湿度と表示湿度との差が、１％以下の場合にガード時間を２０秒とし、２％以上４％以下の場合にガード時間を１０秒とし、５％以上の場合にガード時間を１秒とする。
【００５２】
制御部による表示部６の制御を図８および図７のフローチャートを用いて説明する。
制御部は、湿度表示を更新するとき（ステップＳ３０１）、検出湿度と前回の表示湿度との差が１％以下（２％未満）の場合には（ステップＳ３０２：Ｎｏ）、ガード時間を２０秒として（ステップＳ３０４）、更新残り時間をガード時間に初期化する（ステップＳ３０７）（図８中の８秒、２８秒を参照）。また、表示更新時の検出湿度と前回の表示湿度との差が２％以上４％以下（５％未満）の場合には（ステップＳ３０２：Ｙｅｓ、ステップＳ３０３：Ｎｏ）、ガード時間を１０秒に変更して（ステップＳ３０５）、更新残り時間をガード時間に初期化する（ステップＳ３０７）。また、表示更新時の検出湿度と前回の表示湿度との差が５％以上の場合には、ガード時間を１秒に変更して（ステップＳ３０６）、更新残り時間をガード時間に初期化する（ステップＳ３０７）（図８中の７秒を参照）。  
【００５３】
湿度表示を更新後、更新残り時間が０秒となるまでの期間中、検出湿度と表示湿度との差が１％以下（２％未満）の場合には（ステップＳ３０８：Ｎｏと、ステップＳ３０９：Ｎｏの繰り返し）、更新残り時間が０秒となったときに（ステップＳ３０８：Ｙｅｓ）、湿度表示を検出湿度に更新する（ステップＳ３０１）（図８中の２８秒を参照）。
【００５４】
また、湿度表示を更新後、検出湿度と表示湿度との差が２％以上４％以下（５％未満）となった場合であって（ステップＳ３０９：Ｙｅｓ、ステップＳ３１０：Ｎｏ）、更新残り時間が１０秒よりも長い場合には（ステップＳ３１１：Ｎｏ）、更新残り時間を１０秒に短縮する（ステップＳ３１３）（図８中の４秒を参照）。また、更新残り時間が１０秒よりも短い場合は（ステップＳ３１１：Ｙｅｓ）、更新残り時間を変更しない（図８中の５秒を参照）。
【００５５】
また、湿度表示を更新後、検出湿度と表示湿度との差が５％以上となった場合であって（ステップＳ３０９：Ｙｅｓ、ステップＳ３１０：Ｙｅｓ）、更新残り時間が１秒よりも長い場合には（ステップＳ３１２：Ｎｏ）、更新残り時間を１秒に短縮する（ステップＳ３１４）（図８中の６秒を参照）。また、更新残り時間が１秒の場合は（ステップＳ３１２：Ｙｅｓ）、更新残り時間を変更しない。
【００５６】
本実施形態によると、湿度センサで検出される湿度がわずかな上昇と下降を繰り返すように変動しても、ガード時間が経過するまで湿度表示を更新しないため、湿度表示が短時間で変化するのを防止できる。
また、湿度変化が大きい場合には、湿度表示が更新されるまでの時間を短縮するため、湿度表示を湿度変化に追従させることができる。
【００５７】
また、表示湿度を更新するときの検出湿度と表示湿度との差に応じて、湿度表示が更新されるタイミングを変更するため、湿度表示を湿度変化に追従させることができる。
【００５８】
なお、本実施形態では、ガード時間を２０秒と１０秒と１秒に設定しているが、ガード時間はこれらの数値に限定されるものではない。
また、本実施形態では、湿度表示を更新するタイミングを変更する基準となる検出湿度と表示湿度との差が、２％と５％であるが、これらの数値に限定されるものではない。
また、本実施形態では、更新残り時間を１０秒または１秒に短縮しているが、これらの数値に限定されるものではない。
【００５９】
また、本実施形態では、更新残り時間を短縮する際、元の更新残り時間に関わらず、短縮後の更新残り時間（１０秒または１秒）を決定しているが、短縮前の更新時間に基づいて、短縮後の更新残り時間を決定してもよい。例えば、検出湿度と表示湿度との差が２％以上４％以下の場合に、短縮後の更新残り時間を、短縮前の更新残り時間から所定時間（例えば１０秒）引いた値としてもよい。上記所定時間が１０秒の場合には、図８中の５秒のときの短縮後の更新待ち時間は、短縮前の更新残り時間である１７秒から１０秒引いた値である７秒となる。
【００６０】
以上、本発明の好適な実施形態として、第１〜第３実施形態を説明したが、上記の実施形態は以下のように変更して実施することができる。
【００６１】
＜変更例１＞
上記第１〜第３実施形態の湿度センサには、電極間の電気抵抗値の変化によって湿度を検出する電気抵抗変化式の湿度センサが用いられているが、電極間の静電容量の変化によって湿度を検出する電気容量変化式の湿度センサを用いてもよい。
【００６２】
＜変更例２＞
上記第１〜第３実施形態では、加湿機に本発明を適用しているが、本発明の適用対象は加湿機に限定されるものではなく、湿度センサと湿度を表示する表示部とを有する空気調和機であればよい。
【００６３】
＜変更例３＞
上記第１〜第３実施形態では、検出湿度と表示湿度（更新時の検出湿度）との差に基づいて、湿度表示を更新するタイミングを変更しているが、湿度表示を更新するタイミングを変更する基準となる検出湿度の変化率は、検出湿度と表示湿度との差に限定されない。
例えば、検出湿度と直前の検出湿度との差に基づいて、湿度表示を更新するタイミングを変更してもよい。この変更例を第１実施形態に適用した場合の具体例を図９に示す。図９では、検出湿度と直前の検出湿度との差が１％以下の場合には、ガード時間（２０秒）が経過する度に湿度表示を更新し（図９の２７秒を参照）、検出湿度と直前の検出湿度との差が２％以上の場合には、更新残り時間に関わらず、湿度表示を更新している（図９の３秒、６秒、７秒を参照）。
【００６４】
＜変更例４＞
上記第１〜第３実施形態では、湿度表示を更新するタイミングを変更する基準となる値（検出湿度と表示湿度との差）は、検出湿度に関わらず一定であるが、検出湿度が所定湿度以上の場合と所定湿度未満の場合とで異ならせてもよい。
例えば、検出湿度が所定湿度以上の場合に、所定湿度未満の場合より大きくなるように変更してもよい。この変更例を第１実施形態に適用した場合の具体例としては、例えば、検出湿度が５０％未満には、検出湿度と表示湿度との差が２％以上の場合に更新残り時間に関わらず湿度表示を更新し、検出湿度が５０％以上の場合には、検出湿度と表示湿度との差が４％以上の場合に更新残り時間に関わらず湿度表示を更新してもよい。なお、上述の５０％、２％、４％という数値は一例であって、これらに限定されるものではない。
【００６５】
湿度が高い場合には、湿度センサの検出精度が湿度が低いときよりも低くなり、検出湿度が変動しやすくなる。そのため、湿度表示を更新するタイミングを変更する基準となる値を、湿度が高い場合に、湿度が低い場合よりも大きくなるように変更することで、検出精度の悪化によって湿度表示が短時間で変化するのを防止できる。
【００６６】
＜変更例５＞
上記第１〜第３実施形態では、ガード時間は、加湿運転時と空清運転のいずれでも同じであるが、加湿運転時のガード時間を、空清運転時のガード時間より短くしてもよい。
加湿運転時には、空清運転時よりも湿度変化が大きくなる。加湿運転時のガード時間を短くすることで、湿度変化の大きい加湿運転時に、湿度表示を湿度変化に追従させることができ、空清運転時のガード時間を長くすることで、湿度変化の小さい空清運転時に、湿度表示の無駄な更新を減らすことができる。
なお、除湿運転と空清運転とを切り換え可能な空気調和機に本発明を適用する場合（変更例２）には、除湿運転時のガード時間を、空清運転時のガード時間より短くしてもよい。
【００６７】
＜変更例６＞
ガード時間を、加湿運転が開始された後、所定時間が経過したときに長くなるように変更してもよい。この変更例を第１実施形態に適用する場合の具体例としては、例えば、加湿運転が開始後、所定時間が経過する前に湿度表示を更新する際には、ガード時間を２０秒として、更新残り時間をガード時間に初期化する。また、加湿運転が開始された後、所定時間が経過した後、湿度表示を更新する場合には、ガード時間を２５秒に変更して、更新残り時間をガード時間に初期化する。
【００６８】
また、この変更例６を第２実施形態に適用する場合、表示更新時の検出湿度と表示湿度との差が４％以下の場合のガード時間（第２実施形態では２０秒）と、表示更新時の検出湿度と表示湿度との差が５％以上の場合のガード時間（第２実施形態では５秒）のいずれか一方を、加湿運転開始後の経過時間に応じて変更すれば、他方のガード時間は、運転開始後の経過時間に応じて変更しても変更しなくてもよい。第３実施形態にこの変更例６を適用する場合についても同様である。
【００６９】
加湿運転開始直後は湿度変化が大きく、時間の経過とともに湿度が安定する。加湿運転開始後のガード時間を短くすることで、湿度変化の大きい加湿運転開始後に、湿度表示を湿度変化に追従させることができ、加湿運転を開始してから所定時間が経過した後のガード時間を長くすることで、湿度変化が小さいときに、湿度表示の無駄な更新を減らすことができる。
なお、空清運転を行う場合のガード時間は、運転開始からの時間に関わらず一定であってもよく、加湿運転を行う場合と同様に、空清運転開始後、所定時間が経過したときに長くなるように変更してもよい。
また、除湿機能を有する空気調和機に本発明を適用する場合（変更例２）には、ガード時間を、除湿運転が開始された後、所定時間が経過したときに長くなるように変更してもよい。
【００７０】
＜変更例７＞
上記第１〜第３実施形態では、加湿運転時または空清運転時には、常に湿度表示を行っているが、ファンの回転開始時から所定時間（例えば３０秒程度）が経過するまでの間、湿度表示を行わないようになっていてもよい。
ファンが停止状態から回転を開始した際、風量が急激に増加することで、湿度検出手段の検出精度が低下して、湿度検出手段で検出される湿度が変動しやすくなる。ファンの回転開始時から所定時間が経過し、風量が安定した後で湿度表示を行うことによって、風量変動に起因して湿度表示が短時間で変化するのを防止できる。
【産業上の利用可能性】
【００７１】
本発明を利用すれば、湿度検出手段で検出される湿度の変化率に応じて、適切なタイミングで湿度表示を更新できる。
【符号の説明】
【００７２】
１  加湿機（空気調和機）
２  ファン
３  気化部材
４  貯水容器
５  空気清浄ユニット
６  表示部
【図１】
2013053753.tif 000003
【図２】
2013053753.tif 000004
【図３】
2013053753.tif 000005
【図４】
2013053753.tif 000006
【図５】
2013053753.tif 000007
【図６】
2013053753.tif 000008
【図７】
2013053753.tif 000009
【図８】
2013053753.tif 000010
【図９】
2013053753.tif 000011